(57)【要約】      （修正有）【課題】簡単な構造で且つ比較的自由な方向から視聴することができる充電式映像表示装置を提供する。【解決手段】表示パネルとしてのＬＣＤユニットと二次電池と受電端子１７が設けられた装置本体２と、給電端子が設けられた充電台３とを有する充電式映像表示装置としてのモニタ１において、装置本体２が、筐体部４と、この筐体部４に対して回動軸を中心に回動可能で且つ充電台３に取り付けられる脚部５を有し、この脚部５の回動軸の軸線Ｘ上に受電端子１７を設けたことで、充電台３に取り付けられた脚部５に対して前記回動軸を中心に筐体部４を回動させて前記ＬＣＤユニットの画面の仰角を調節することができると共に、前記ＬＣＤユニットの画面の仰角によらず、前記給電端子と受電端子１７の接触状態を保つことができる。【選択図】図３
0003155187.tif 000002
【実用新案登録請求の範囲】
【請求項１】
表示パネルと二次電池と受電端子が設けられた装置本体と、給電端子が設けられた充電台とを有する充電式映像表示装置において、
前記装置本体が、筐体部と、この筐体部に対して回動軸回りに回動可能で且つ前記充電台に取り付けられる脚部を有すると共に、この脚部の回動軸の軸線上に前記受電端子を設けたことを特徴とする充電式映像表示装置。
【請求項２】
表示パネルと二次電池と受電端子が設けられた装置本体と、給電端子が設けられた充電台とを有する充電式映像表示装置において、
前記装置本体が、筐体部と、この筐体部に対して回動軸回りに回動可能で且つ前記充電台に取り付けられる脚部を有すると共に、この脚部の回動軸の軸線と同軸状に前記受電端子の接点部を設けたことを特徴とする充電式映像表示装置。
【請求項３】
前記充電台に、前記脚部の案内部を上方から挿入して摺動させることが可能な溝部を形成したことを特徴とする請求項１又は２記載の充電式映像表示装置。
【請求項４】
前記溝部を後下がり状に形成すると共に、この溝部の垂直に対する傾斜角度が、前記脚部の案内部の前記表示パネルに対する角度の最小値よりも大きくなるように形成したことを特徴とする請求項３記載の充電式映像表示装置。
【請求項５】
前記脚部が、線材又はパイプを折り曲げて形成されることを特徴とする請求項１乃至４記載の充電式映像表示装置。
【考案の詳細な説明】
【技術分野】
【０００１】
本考案は、比較的小型の充電式テレビやモニタ等の映像表示装置に関するものである。
【背景技術】
【０００２】
従来、この種の充電式映像表示装置としては、充電池（二次電池）が収容された液晶テレビ（装置本体）を充電器（充電台）に載置し、前記液晶テレビの被充電端子（受電端子）を前記充電器の充電端子（給電端子）に当接させることで、前記充電池を充電する小型テレビ受像機が知られている（例えば、特許文献１参照。）。そして、このような小型テレビ受像機は、前記液晶テレビを前記充電器に載置した状態であっても視聴可能に構成されている。
【先行技術文献】
【特許文献】
【０００３】
【特許文献１】特開平９−１２１３１７号公報
【考案の概要】
【考案が解決しようとする課題】
【０００４】
しかしながら、このような充電式映像表示装置においては、装置本体の表示パネルと充電台の位置関係が固定されるので、充電台に装置本体を取り付けた状態で視聴する場合、画面を見る方向が固定されてしまうという問題があった。この問題を解決するため、充電台に角度調節機構を設けることも考えられるが、このようにした場合、充電台の構造が複雑になってしまうという問題が生ずる虞がある。
【０００５】
本考案は以上の問題点を解決し、簡単な構造で且つ比較的自由な方向から視聴することができる充電式映像表示装置を提供することを目的とする。
【課題を解決するための手段】
【０００６】
本考案の請求項１に記載の充電式映像表示装置は、表示パネルと二次電池と受電端子が設けられた装置本体と、給電端子が設けられた充電台とを有する充電式映像表示装置において、前記装置本体が、筐体部と、この筐体部に対して回動軸回りに回動可能で且つ前記充電台に取り付けられる脚部を有すると共に、この脚部の回動軸の軸線上に前記受電端子を設けたものである。
【０００７】
また、本考案の請求項２に記載の充電式映像表示装置は、表示パネルと二次電池と受電端子が設けられた装置本体と、給電端子が設けられた充電台とを有する充電式映像表示装置において、前記装置本体が、筐体部と、この筐体部に対して回動軸回りに回動可能で且つ前記充電台に取り付けられる脚部を有すると共に、この脚部の回動軸の軸線と同軸状に前記受電端子の接点部を設けたものである。
【０００８】
また、本考案の請求項３に記載の充電式映像表示装置は、請求項１又は２において、前記充電台に、前記脚部の案内部を上方から挿入して摺動させることが可能な溝部を形成したものである。
【０００９】
また、本考案の請求項４に記載の充電式映像表示装置は、請求項３において、前記溝部を後下がり状に形成すると共に、この溝部の垂直に対する傾斜角度が、前記脚部の案内部の前記表示パネルに対する角度の最小値よりも大きくなるように形成したものである。
【００１０】
更に、本考案の請求項５に記載の充電式映像表示装置は、請求項１乃至４において、前記脚部が、線材又はパイプを折り曲げて形成されるものである。
【考案の効果】
【００１１】
本考案の請求項１に記載の充電式映像表示装置は、以上のように構成することにより、前記筐体部に対して前記回動軸回りに回動可能に設けられた前記脚部を前記充電台に取り付けることで、前記装置本体に設けられた受電端子が前記充電台に設けられた給電端子と接触するので、前記充電台から前記装置本体に電力を供給することができる。この際、前記脚部が前記筐体部に対して前記回動軸回りに回動可能に設けられていることで、前記充電台に取り付けられた前記脚部に対して前記筐体部を前記回動軸回りに回動させて前記表示パネルの仰角を調節することができる。更に、前記受電端子が前記脚部の回動軸の軸線上に位置するので、前記脚部に対して前記筐体部を前記回動軸回りに回動させたとしても、前記受電端子が前記軸線上にあり続け、前記給電端子と前記受電端子の位置関係が殆ど変化しないので、前記表示パネルの仰角によらず前記給電端子と受電端子の接触状態を保つことができる。
【００１２】
また、本考案の請求項２に記載の充電式映像表示装置は、以上のように構成することに前記筐体部に対して前記回動軸回りに回動可能に設けられた前記脚部を前記充電台に取り付けることで、前記装置本体に設けられた受電端子の接点部が前記充電台に設けられた給電端子と接触するので、前記充電台から前記装置本体に電力を供給することができる。この際、前記脚部が前記筐体部に対して前記回動軸回りに回動可能に設けられていることで、前記充電台に取り付けられた前記脚部に対して前記筐体部を前記回動軸回りに回動させて前記表示パネルの仰角を調節することができる。更に、前記受電端子の接点部が前記脚部の回動軸の軸線に対して同軸状に位置するので、前記脚部に対して前記筐体部を前記回動軸回りに回動させたとしても、前記給電端子と前記受電端子の接点部の位置関係が殆ど変化しないので、前記表示パネルの仰角によらず前記給電端子と受電端子の接点部との接触状態を保つことができる。
【００１３】
また、前記充電台に、前記脚部の案内部を上方から挿入して摺動させることが可能な溝部を形成したことで、前記装置本体を前記充電台に対して容易に取り付けることができる。
【００１４】
また、前記溝部を後下がり状に形成すると共に、この溝部の垂直に対する傾斜角度が、前記脚部の案内部の前記表示パネルに対する角度の最小値よりも大きくなるように形成したことで、前記表示パネルの仰角をマイナス（即ち、前記表示パネルが伏せるよう）にすることができるので、前記充電台を高い位置に置いても視聴しやすいようにすることができる。
【００１５】
更に、前記脚部を、線材又はパイプを折り曲げて形成したことで、前記脚部の構造を単純にすることができると共に、安価に構成することができる。
【図面の簡単な説明】
【００１６】
【図１】本考案の第一の実施形態を示す充電式映像表示装置の正面図である。
【図２】同、背面図である。
【図３】同、右側面図である。
【図４】同、装置本体を回動軸回りに回動させた状態の右側面図であり、（ａ）は表示パネルを上向きにした状態、（ｂ）は表示パネルを下向きにした状態である。
【図５】同、給電端子と受電端子の関係を示す説明図であり、（ａ）は軸方向から見た状態、（ｂ）は軸直方向から見た状態、（ｃ）は装置本体を回動させた際の軸方向から見た状態である。
【図６】同、装置本体と充電台の着脱を示す右側面図である。
【図７】同、装置本体の正面図である。
【図８】同、装置本体の背面図である。
【図９】同、装置本体の右側面図であり、（ａ）は脚部を畳んだ状態、（ｂ）は脚部を起こして水平面上に設置した状態である。
【図１０】同、充電台の正面図である。
【図１１】本考案の第二の実施形態を示す充電式映像表示装置の給電端子と受電端子の関係を示す説明図であり、（ａ）は軸方向から見た状態、（ｂ）は装置本体を回動させた際の軸方向から見た状態である。
【考案を実施するための形態】
【００１７】
以下、本考案の第一の実施形態について、図１乃至図１０に基づいて説明する。１は本考案の充電式映像表示装置としてのモニタである。なお、本実施形態は、他の映像ソースからの映像信号を表示するモニタであるが、受信機を有するテレビ、或いは映像ディスクの再生装置を内蔵した再生機であっても良い。前記モニタ１は、装置本体２と、充電台３と、図示しない送信機とを有して構成される。そして、前記送信機は、それに接続された映像ソースからの映像信号を無線送信する。そして、前記装置本体２は、前記送信機から無線送信された映像信号を受信し、表示する。更に、前記充電台３は、図示しない外部電源に接続されると共に、前記装置本体２に電力を供給する。
【００１８】
前記装置本体２は、筐体部４と脚部５とを有して構成される。前記筐体部４は、外殻体６を有し、この外殻体６は、前外殻体６Ａと後外殻体６Ｂを有する。前記前外殻体６Ａの窓部６Ｃには、表示パネルとしてのＬＣＤ（液晶ディスプレイ）ユニット７が設けられる。なお、本例では表示パネルとしてＬＣＤユニット７を用いたが、有機ＥＬディスプレイユニット等、あらゆる種類のディスプレイユニットを用いることができる。また、前記前外殻体６Ａの左右の開口部６Ｄには、スピーカグリル８が設けられ、このスピーカグリル８の内側に、図示しないスピーカが設けられる。更に、前記前外殻体６Ａには、電源スイッチ９及び表示部１０が設けられる。一方、前記後外殻体６Ｂの下部には、電池室１１が設けられ、この電池室１１内に二次電池１２が収容される。なお、前記電池室１１は、電池蓋１３によって閉塞される。また、前記後外殻体６Ｂには、一対の軸受部１４が固定され、これらの軸受部１４に、前記脚部５の基端に設けられた回動軸２２が回動可能に軸支される。また、前記後外殻体６Ｂには、一対の摺動部１５が固定され、これらの摺動部１５に把持部１６が出没可能に取り付けられる。なお、前記摺動部１５は、前記軸受部１４と一体に形成される。また、前記後外殻体６Ｂの中央部には、一対の受電端子１７が設けられる。なお、これらの受電端子１７は、一対の前記軸受部１４間に設けられると共に、前記脚部５の回動軸２２の軸線Ｘ上に設けられる。また、前記後外殻体６Ｂの上部には、操作パネル１８が設けられると共に、この操作パネル１８に操作手段１９が設けられる。また、前記後外殻体６Ｂの下部の左右両端近傍には、一対の固定脚２０が設けられる。更に、前記後外殻体６Ｂの下部の中央には、凹部２１が設けられる。
【００１９】
前記脚部５は、基端に設けられた一対の前記回動軸２２と、これらの回動軸２２と直交して伸びる案内部２３と、この案内部２３の先端同士を連結する連結部２４と、この連結部２４に設けられる接地部２５とを有して構成される。なお、前記脚部５を構成する回動軸２２、案内部２３、及び連結部２４は、一本のアルミパイプを折り曲げて形成される。従って、前記脚部５は、その構造を単純にすることができると共に、安価に構成することができる。また、一対の前記回動軸２２は、何れも前記軸線Ｘ上に設けられる。また、前記案内部２３は、互いに平行となるように形成される。更に、前記連結部２４及び接地部２５は、前記脚部５を畳んだ際に、前記後外殻体６Ｂの凹部２１に収容される。なお、前記脚部５の回動軸２２は、その可動範囲内において、摩擦抵抗によって任意の角度で保持できるように構成される。また、前記脚部５を畳んだ状態において、その案内部２３は、前記ＬＣＤユニット７の画面とほぼ平行になるように構成される。
【００２０】
また、前記充電台３は、基板部２６と、支柱部２７とを有して構成される。前記支柱部２７には、上方及び側方が開放した一対の第一溝部２８が形成される。また、前記支柱部２７には、上方及び前方が開放した一対の第二溝部２９が形成される。なお、前記第一溝部２８の幅は、前記脚部５を構成するアルミパイプの径よりもやや広く形成される。又、前記第一溝部２８同士の間隔は、一対の前記案内部２３同士の間隔よりもやや狭く形成される。更に、前記第一溝部２８は、その下端側よりも上端側がやや前方となるように、やや後下がりに形成される。なお、前記第一溝部２８の垂直に対する傾斜角度は、約１０度である。また、前記第二溝部２９は、前記受電端子１７を案内するために、その上部が広くなるように形成される。そして、前記第二溝部２９内には、それぞれ給電端子３０が設けられる。なお、これらの給電端子３０の接点部３１は、前記充電台３に前記装置本体２が取り付けられた状態において、前記軸線Ｘ上に設けられる。更に、前記支柱部２７の背面には凹部３２が形成されており、この凹部３２の下向き面３２Ａに図示しないジャックが設けられ、このジャックに図示しないＡＣアダプタのプラグが接続される。
【００２１】
次に、本実施形態の作用について説明する。まず、使用者は、前記モニタ１を使用するにあたって、前記装置本体２の二次電池１２を予め充電する。即ち、図示しない前記ＡＣアダプタのプラグを、前記充電台３の凹部３２の下向き面３２Ａに設けられた図示しない前記ジャックに接続し、前記ＡＣアダプタを同じく図示しない外部電源に接続した後、前記充電台３に前記装置本体２を接続する。この際、使用者は、前記装置本体２の脚部５を図６に示すように僅かに起こし、この脚部５の案内部２３を、前記充電台３の第一溝部２８の形成方向Ｄに沿って、前記第一溝部２８に挿入する。このように、前記脚部５の案内部２３が前記充電台３の第一溝部２８に挿入されると、前記受電端子１７が前記充電台３に形成された前記第二溝部２９に挿入される。そして、前記受電端子１７が前記第二溝部２９に挿入されると、この第二溝部２９に設けられた前記給電端子３０の接点部３１が、前記受電端子１７に接触する。このように、前記給電端子３０の接点部３１と前記受電端子１７が接触することで、前記装置本体２内に収容された前記二次電池１２に電力が供給されるので、この二次電池１２が充電される。
【００２２】
このように、前記二次電池１２が充電されると、前記装置本体２を前記充電台３から取り外して使用することが可能となる。即ち、使用者は、図６に示すように、方向Ｄに前記装置本体２を引き上げることで、前記装置本体２を前記充電台３から取り外した後、図９（ｂ）に示すように、前記脚部５を任意の角度まで起こし、前記固定脚２０と前記接地部２５が被載置面Ｓに接するように、この被載置面Ｓに載置する。そして、起こされた前記脚部５の角度によって、前記装置本体２に設けられたＬＣＤユニット７、即ち画面の角度が調節される。この状態で、前記電源スイッチ９をオンにして、前記操作手段１９を操作することで、前記装置本体２は、図示しない前記送信機から無線送信された映像信号を受信し、前記ＬＣＤユニット７の画面に表示する。
【００２３】
なお、前記装置本体２は、前記充電台３に取り付けられた状態のまま使用することができる。即ち、前記受電端子１７と給電端子３０が接続されたまま、前記電源スイッチ９をオンにして、前記操作手段１９を操作することで、前記装置本体２は、図示しない前記送信機から無線送信された映像信号を受信し、前記ＬＣＤユニット７の画面に表示する。この際、前記給電端子３０及び受電端子１７を介して供給される電力は、前記二次電池１２には供給されない。
【００２４】
そして、このように前記装置本体２が前記充電台３に取り付けられた状態で、前記脚部５に対して前記回動軸２２を中心に前記筐体部４を回動させることで、前記装置本体２は、そのＬＣＤユニット７の画面の仰角を調節することができる。この際、前述したように、前記受電端子１７が前記脚部５の回動軸２２の軸線Ｘ上に設けられていると共に、前記給電端子３０の接点部３１も、おおよそ前記軸線Ｘ上に位置するので、前記脚部５に対して前記回動軸２２を中心に前記筐体部４を回動させたとしても、前記受電端子１７と給電端子３０の接点部３１の位置関係は殆ど変化しない。従って、前記ＬＣＤユニット７の画面の角度を調節しても、前記受電端子１７と前記給電端子３０の接点部３１は接触し続ける。また、前述したように、前記脚部５を畳んだ状態において、その案内部２３が、前記ＬＣＤユニット７の面とほぼ平行になると共に、前記第一溝部２８が垂直に対して約１０度前方に傾斜しているので、前記充電台３に前記装置本体２が取り付けられた状態で、前記脚部５の案内部２３が前記ＬＣＤユニット７の画面とほぼ平行となるように、前記回動軸２２を中心に前記筐体部４を回動させることで、前記装置本体２は、前記ＬＣＤユニット７の画面の仰角がマイナスとなるように伏せることができる。従って、前記充電台３を使用者の視点よりも高い位置に置いても、前記装置本体２は、その画面に表示される映像を視聴しやすいようにすることができる。
【００２５】
以上のように、本考案は、表示パネルとしてのＬＣＤユニット７と二次電池１２と受電端子１７が設けられた装置本体２と、給電端子３０が設けられた充電台３とを有する充電式映像表示装置としてのモニタ１において、前記装置本体２が、筐体部４と、この筐体部４に対して回動軸２２を中心に回動可能で且つ前記充電台３に取り付けられる脚部５を有すると共に、この脚部５の回動軸２２の軸線Ｘ上に前記受電端子１７を設けたことで、前記充電台３に取り付けられた前記脚部５に対して前記回動軸２２を中心に前記筐体部４を回動させて前記ＬＣＤユニット７の仰角を調節することができると共に、前記脚部５に対して前記回動軸２２を中心に前記筐体部４を回動させたとしても、前記受電端子１７が前記軸線Ｘ上にあり続けることで、前記給電端子３０と受電端子１７の位置関係が殆ど変化しないので、前記ＬＣＤユニット７の画面の仰角によらず前記給電端子３０と受電端子１７の接触状態を保つことができるものである。
【００２６】
また、本考案は、前記充電台３に形成された第一溝部２８に対し、前記脚部５の案内部２３を上方から挿入して摺動させることで、前記装置本体２を前記充電台３に対して容易に取り付けることができるものである。
【００２７】
また、本考案は、前記第一溝部２８を垂直に対して前方に傾くよう後下がり状に形成すると共に、この第一溝部２８の垂直に対する傾斜角度が、前記脚部５を畳んだ状態における前記案内部２３の前記ＬＣＤユニット７の画面に対する角度、即ち前記ＬＣＤユニット７の画面に対する前記脚部５の角度の最小値よりも大きくなるように形成したことで、前記ＬＣＤユニット７の画面の仰角がマイナスになるように前記装置本体２を伏せることができるので、前記充電台３を使用者の視点よりも高い位置に置いても、前記装置本体２の画面に表示される映像を視聴しやすいようにすることができるものである。
【００２８】
更に、本考案は、アルミパイプを折り曲げて前記脚部５を形成したことで、前記脚部５の構造を単純にすることができると共に、安価に構成することができるものである。
【００２９】
次に、本考案の第二の実施形態について、図１１に基づいて説明する。本実施形態では、受電端子４０は、脚部５の回動軸２２の軸線Ｘ上に設けられない。しかしながら、前記給電端子４０の接点部４１のうち、少なくとも給電端子４２の接点部４３と接触する部分は、前記軸線Ｘと同軸の円弧状に形成される。なお、前記給電端子４２の接点部４３は、前記受電端子４０の円弧状の接点部４１と接触する。このため、前記脚部５に対して前記回動軸２２を中心に筐体部４を回動させたとしても、前記受電端子４０の接点部４１と前記給電端子４２の接点部４３の位置関係は殆ど変化しない。従って、ＬＣＤユニット７の画面の角度を調節しても、前記受電端子４０の接点部４１と前記給電端子４２の接点部４３は接触し続ける。
【００３０】
なお、本考案は以上の実施形態に限定されるものではなく、考案の要旨の範囲内で種々の変形実施が可能である。例えば、上記実施形態では、第一溝部２８は左右の外側が開放した溝部であるが、向かい合う内側が開放した溝部としても良い。また、上記実施形態では、典型的な溝部を形成したが、例えば、突起を短い間隔で並べることで、実質的に溝部と同様の作用の奏するように構成しても良い。
【符号の説明】
【００３１】
１  モニタ（充電式映像表示装置）
２  装置本体
３  充電台
４  筐体部
５  脚部
７  ＬＣＤユニット（表示パネル）
１２  二次電池
１７，４０  受電端子
２２  回動軸
２３  案内部
２８  第一溝部（溝部）
３０，４２  給電端子
４１  受電端子の接点部
Ｘ  軸線
【図１】
0003155187.tif 000003
【図２】
0003155187.tif 000004
【図３】
0003155187.tif 000005
【図４】
0003155187.tif 000006
【図５】
0003155187.tif 000007
【図６】
0003155187.tif 000008
【図７】
0003155187.tif 000009
【図８】
0003155187.tif 000010
【図９】
0003155187.tif 000011
【図１０】
0003155187.tif 000012
【図１１】
0003155187.tif 000013
【手続補正書】
【提出日】平成21年8月21日(2009.8.21)
【手続補正１】
【補正対象書類名】実用新案登録請求の範囲
【補正対象項目名】請求項５
【補正方法】変更
【補正の内容】
【請求項５】
前記脚部が、線材又はパイプを折り曲げて形成されることを特徴とする請求項１乃至４の何れか一項に記載の充電式映像表示装置。